(57)【要約】【課題】内周に形成される内栓用の係合部分を高精度に形成することができるガラス容器の製造方法及びガラス容器を提供する。【解決手段】  ガラス容器であるガラスビン１１の首部１６には、飲み口ライン１８より下方となる位置に、係合部としての環状凸部２１が形成される。環状凸部２１は、仕上型工程（二次工程）においてファイナルブローにより仕上型の内周面形状に沿って形成される。そのため、外周側の凸面２２と内周側の凹面２３との肉厚が一定になり、環状凸部２１の寸法精度が高い。このように形成された環状凸部２１の凹面２３に対し、内栓のための筒状パッキンに形成された爪を係合させることにより、シール性能の高い内栓タイプのガラスビン１１を得ることができる。【選択図】      図１
2020090399.tif 000002
【特許請求の範囲】
【請求項１】
口型及び粗型によって、ゴブに対しガラス容器の口部になる部分を形成してパリソンにする粗型工程と、
仕上型によって、前記パリソンの前記口部側から圧縮空気を吹き込んでガラス容器の全体形状を確定する仕上型工程と、
を備え、
前記仕上型の内周面には、前記ガラス容器の首部に対応する位置に、下方又は斜め下方へ向けた下方面を形成しておき、
前記仕上型工程において、前記圧縮空気を吹き込むことにより、前記首部の内周において前記下方面に対応する位置に、前記ガラス容器に内栓を装着するための筒状パッキンが係合される係合面を形成することを特徴とするガラス容器の製造方法。
【請求項２】
前記下方面は、前記首部の周方向へ環状に形成されている請求項１に記載のガラス容器の製造方法。
【請求項３】
前記筒状パッキンに、前記係合面に係合される爪部を設けておき、
前記仕上型工程による成形後に、前記筒状パッキンを前記口部より圧入して、前記爪部を前記係合面に係合させる工程を更に備える請求項１又は２に記載のガラス容器の製造方法。
【請求項４】
口部と、首部と、肩部と、胴部と、底部と、を備えるガラス容器であって、
内栓を装着するための筒状パッキンが係合される係合面が、前記首部の内周面のうち飲み口ラインより下方となる位置に一体形成されており、
前記係合面に対応する前記首部の厚みは、前記首部のうち前記係合面が形成されていない部分とほぼ同一の厚みであり、
前記筒状パッキンに設けられた爪部が、前記係合面に係合されることを特徴とするガラス容器。
【請求項５】
前記筒状パッキンの外周面には、前記首部を介して当該ガラス容器の外部から視認可能な情報が表示されている請求項４に記載のガラス容器。
【請求項６】
前記爪部は前記筒状パッキンの下端部に設けられており、前記爪部と前記係合面とにより、当該ガラス容器の内周と前記筒状パッキンの外周との間がシールされている請求項４又は５に記載のガラス容器。
【発明の詳細な説明】
【技術分野】
【０００１】
本発明は、ガラス容器の製造方法及びガラス容器に関する。
【背景技術】
【０００２】
従来のガラスビンは、口部の外周にネジ溝を形成するなどして、外栓によって栓をするタイプが主流である。内栓を採用したガラスビンも提供されているが、例えば一升瓶の内栓のように、内栓の弾力のみに依存して栓をするタイプが一般的である。文献上では、単なる弾力のみに依存せずに、ガラスビンの内周に内栓が固定される内ネジを形成する技術も提案されている（例えば、特許文献１参照）。
【０００３】
ところで、ガラスビンは、一般に、口型及び粗型による粗型工程（一次工程）と、仕上型による仕上型工程（二次工程）とを経て成形される。そして、特許文献１では、内栓を固定する内ネジは、口部を成形する一次工程の際に、先端がネジ形状とされる特殊形状のプランジャを用いて成形される。
【先行技術文献】
【特許文献】
【０００４】
【特許文献１】特公平５−６５４５０号公報
【発明の概要】
【発明が解決しようとする課題】
【０００５】
しかしながら、一次工程では、口部の外周形状は口型の内周形状に沿って比較的高精度に成形されるものの、口部の内周形状は比較的低精度になり易い。これは、ブロー成形する場合に大きな風力がビン内部に付与されるため、口部内周の凹凸が十分に固化する前に吹き飛ばされて、凹凸部分がなだらかになってしまうためであると考えられる。
【０００６】
そのため、特許文献１に示される内ネジは寸法精度が低くなる。特に、比較的小さな凹凸によって内ネジその他の係合部をビン内周に形成しようとすれば、係合部が低精度であるがゆえに、製品誤差が大きくなり、シール不良になるビンが多発することも懸念される。このような事情も、内栓タイプより外栓タイプのガラスビンが大半を占める原因の一つになっていると考えられる。
【０００７】
なお、このような問題は、ガラスビン等のガラス容器の成形方法が、ブロー＆ブロー成形であっても、プレス＆ブロー成形であっても、同様に発生し得る。
【０００８】
本発明は、上記事情に鑑みてなされたものであり、内周に形成される内栓用の係合部分を高精度に形成することができるガラス容器の製造方法及びガラス容器を提供することを主たる目的とする。
【課題を解決するための手段】
【０００９】
上記目的を達成すべく、本発明のガラス容器の製造方法は、
口型及び粗型によって、ゴブに対しガラス容器の口部になる部分を形成してパリソンにする粗型工程と、
仕上型によって、前記パリソンの前記口部側から圧縮空気を吹き込んでガラス容器の全体形状を確定する仕上型工程と、
を備え、
前記仕上型の内周面には、前記ガラス容器の首部に対応する位置に、下方又は斜め下方へ向けた下方面を形成しておき、
前記仕上型工程において、前記圧縮空気を吹き込むことにより、前記首部の内周において前記下方面に対応する位置に、前記ガラス容器に内栓を装着するための筒状パッキンが係合される係合面を形成することを特徴とする。
【００１０】
本発明のガラス容器の製造方法によれば、肉厚を一定にしやすい仕上型工程において、仕上型の内周に下方面を形成しておくことにより、首部に内栓を装着するための筒状パッキンが係合される係合面を高精度に製造することができる。
【００１１】
前記下方面は、前記首部の周方向へ環状に形成されていることが好ましい。このようにすれば、周方向の一部に係合面を形成する場合に比べ、係合面の寸法精度が一層高くなる。また、係合面が環状に形成されることから、筒状パッキン側に周方向の方向性がなくなる利点もある。
【００１２】
また、前記筒状パッキンに、前記係合面に係合される爪部を設けておき、前記仕上型工程による成形後に、前記筒状パッキンを前記口部より圧入して、前記爪部を前記係合面に係合させる工程を更に備えることが好ましい。このようにすれば、ガラス容器に筒状パッキンを圧入することにより、ガラス容器の係合面と筒状パッキンの爪部との間をシールすることができ、筒状パッキンと内栓とが別体である場合には、筒状パッキンを含むガラス容器にシール性能を付与することができる。
【００１３】
本発明のガラス容器は、
口部と、首部と、肩部と、胴部と、底部と、を備えるガラス容器であって、
内栓を装着するための筒状パッキンが係合される係合面が、前記首部の内周面のうち飲み口ラインより下方となる位置に一体形成されており、
前記係合面に対応する前記首部の厚みは、前記首部のうち前記係合面が形成されていない部分とほぼ同一の厚みであり、
前記筒状パッキンに設けられた爪部が、前記係合面に係合されることを特徴とする。
【００１４】
本発明のガラス容器によれば、首部のうち飲み口ラインより下方となる位置に係合面が形成されており、そこに筒状パッキンを装着することにより、ガラス容器の係合面と筒状パッキンとの間をシールすることができる。首部のうち係合面に対応する位置もそれ以外の位置もほぼ同一の厚みになっており、この形状はガラス容器の仕上型工程（二次工程）におけるブロー成形で形成されているといえるため、係合面の寸法精度が高く、ガラス容器に高いシール効果を付与することができる。
【００１５】
前記筒状パッキンの外周面には、前記首部を介して当該ガラス容器の外部から視認可能な情報が表示されていることが好ましい。これにより、従来はガラス容器の外周側に貼付物をつけたり、首部にＰＯＰをぶら下げたり、外栓に印刷を施したりして情報を表示するしかなかったが、利用者が目視可能でありつつも、アクセスしにくい容器内側に表示をすることができる。
【００１６】
また、前記爪部は前記筒状パッキンの下端部に設けられており、前記爪部と前記係合面とにより、当該ガラス容器の内周と前記筒状パッキンの外周との間がシールされていることが好ましい。これにより、ガラス容器の内周と前記筒状パッキンの外周との隙間に、液体等の内容物がしみ込んでこないので、ガラス容器の見栄えが悪化するのを抑制することができ、筒状パッキンの外周面に情報表示を行う場合にはその表示領域を広くとることができるようになる。
【図面の簡単な説明】
【００１７】
【図１】ガラスビンの正面図。
【図２】（ａ）はガラスビン、筒状パッキン及び内栓を個別に示す正面図、（ｂ）はこれらを組み合わせた状態を示す断面図。
【図３】ガラスビンの成形工程を示す工程説明図。
【図４】ガラスビン、筒状パッキン及び内栓の他の実施形態を示す断面図。
【図５】筒状パッキンの他の実施形態を示す平面図並びにガラスビン及び筒状パッキンの他の実施形態を示す断面図。
【発明を実施するための形態】
【００１８】
以下、図面を参照しながら、実施形態を説明する。
【００１９】
＜ガラスビン１１＞
図１に示すように、ガラス容器の代表例であるガラスビン１１は、透明又は半透明のガラスによって形成され、ビン外部からビン内部を視認することができるようになっている。ガラスビン１１は、筒状の胴部１２と、胴部１２の下端側から連続する裾部１３と、裾部１３の下端を閉塞する底部１４とが一体形成されている。胴部１２の上端側からは、上方へ向かうほど径が小さくなる肩部１５が一体形成されている。肩部１５の上端側からは、後述する環状凸部２１を除いてほぼ同一径のまま上方へ延びる首部１６が一体形成されている。首部１６の上端には、内周側が首部１６とほぼ同一径とされ、外周側が首部１６よりも大径となる口部１７が一体形成されている。口部１７と首部１６との境界付近には、ガラスビン１１の製造過程で形成される飲み口ライン１８が発現している。
【００２０】
首部１６には、その上下方向中間位置であって飲み口ライン１８よりも下方となる位置に、ガラスビン１１の外周側へ凸となる環状凸部２１が一体形成されている。環状凸部２１に対応するガラスビン１１の外周面は外側からみて凸面２２になっており、環状凸部２１に対応するガラスビン１１の内周面は内側からみて凹面２３になっている。凹面２３のうち上部が、斜め下方に向いた係合面である。凸面２２と凹面２３との間隔である環状凸部２１の厚みは、首部１６や胴部１２など、口部１７以外の周面とほぼ同一の厚みに形成されている。なお、以上の説明において、同一とせずに、ほぼ同一としているのは、ガラスビン１１の製造上、肉厚や径が完全に同一になることは不可能であるためである。
【００２１】
図２に示すように、ガラスビン１１の内周側には、筒状パッキン３１が取り付けられる。筒状パッキン３１は、ガラスビン１１との間をシールしつつ、内栓４１を取り付けるためのものである。筒状パッキン３１は、ポリエチレンやシリコンゴム等の弾性を有する合成樹脂材料によって形成されている。筒状パッキン３１は、外径が口部１７及び首部１６の内径と同一か若干小さく形成された本体筒部３２を備えており、口部１７の開口より上方からガラスビン１１の内部に圧入される。本体筒部３２の上端部には、外周方向へ突出するフランジ部３３が一体形成されており、筒状パッキン３１の圧入時に口部１７の上面に当接して、それ以上、筒状パッキン３１がビン内部に入り込まないようにしている。
【００２２】
本体筒部３２の下端部には、外周方向へ突出する爪部３４が一体形成されている。爪部３４は、上下方向の下部において、下方ほど外径が小さくなっている第１テーパ面３５を有しており、爪部３４の下端部の外径は口部１７の内径と同一かそれより小さい径とされる。これにより、筒状パッキン３１をガラスビン１１の内部に圧入する際、第１テーパ面３５が口部１７の内周側に入り込むため、筒状パッキン３１が口部１７に引っ掛からず、かつ本体筒部３２及び爪部３４を内周側へ弾性変形させることができる。
【００２３】
爪部３４は、上下方向の上部において、下方ほど外径が大きくなっている第２テーパ面３６を有している。第２テーパ面３６の下端は第１テーパ面３５の上端と接続され、第２テーパ面３６の上端は本体筒部３２の外周面と接続されている。第２テーパ面３６が凹面２３の上部に当接した位置において、フランジ部３３が口部１７の上端に当接する位置関係となるように、フランジ部３３と爪部３４との間隔が予め設定されている。
【００２４】
凹面２３の上部は、下方ほどガラスビン１１の内径を大きくするようにして、斜め下方へ延びる形で形成されており、フランジ部３３が口部１７の上端に当接した状態では、爪部３４の第２テーパ面３６と凹面２３の上部との接触部分において、予圧がかけられた状態となる。したがって、ガラスビン１１と筒状パッキン３１との間が、爪部３４の第２テーパ面３６と凹面２３の上部との間でシールされ、それらの間のシール部分より上方へはガラスビン１１の内容物が入り込まないようになっている。そのため、本体筒部３２を主体とする筒状パッキン３１の外周面に、広告や懸賞等の情報を案内する案内表示３７を印刷等によって行った場合、ガラスビン１１を介して、ガラスビン１１の内容物が邪魔になることなく、案内表示３７を外部から視認することができるようになる。
【００２５】
内栓４１は、筒状パッキン３１に対して上方から押し込まれる。内栓４１は、本体筒部３２に入り込む一定の弾力をもった円柱形状の封止部４２と、封止部４２の上端から外周側に延びるフランジ形状の操作部４３とを備えている。内栓４１を筒状パッキン３１に対し上方から下方へ向けて押し込むことにより、封止部４２の外周面と本体筒部３２の内周面とが弾力によって密着する。これにより、内栓４１と筒状パッキン３１との間から、ガラスビン１１の内容物が漏れ出ないようになっている。内栓４１を筒状パッキン３１に押し込んだ場合、操作部４３はフランジ部３３の上面に当接した位置で位置決めされる。操作部４３は、ガラスビン１１の内部へ内栓４１が没入することを防止しながら、開封時に内栓４１を引き抜く場合には手で引っ張ることのできる操作対象となる。なお、内栓４１の固定状態で封止部４２の上端が筒状パッキン３１の上端よりも上方に配置されている等、他の開封方法がある場合には、操作部４３は必須ではない。
【００２６】
＜ガラスビン１１の製造方法＞
次に、図３を参照しながら、上記のように構成されるガラスビン１１の製造方法を、その製造に用いる金型等の製造装置とともに説明する。本実施形態では、ブロー＆ブロー成形によってガラスビン１１が製造されるが、プレス＆ブロー成形によって製造するものであってもよい。
【００２７】
ガラスビン１１のブロー＆ブロー成形工程は、粗型工程（一次工程）と仕上型工程（二次工程）とからなる。粗型工程は、ゴブイン工程、セッツルブロー工程、カウンターブロー工程を含む。粗型工程の後、仕上型工程に移行するインバート工程が実行される。仕上型工程は、ファイナルブロー工程を含む。以下、各工程について説明する。
【００２８】
（ａ）ゴブイン工程
図３（ａ）に示すように、上下方向に貫通する筒状に形成された粗型５１の下端部には、口型５２が配置されている。口型５２は環状に形成されており、口型５２の内周には口部１７の外周形状に合わせた口部形成凹部５３が環状に形成されている。口型５２の内周側には、下方からプランジャ５４が差し込まれている。プランジャ５４の最先端部はドーム状に形成されており、最先端部を除く先端部の外周径は口部１７の内周径と同一になるようにして形成されている。一方、粗型５１の上端部には、漏斗形状のファンネル５５が配置されている。
【００２９】
ゴブイン工程では、プランジャ５４が、口部形成凹部５３より下方位置において口型５２の内周面に接しており、口型５２とプランジャ５４とによって粗型５１のキャビティを下方において閉じている。この状態で、ガラスを溶融してなる高温のゴブ（ガラス塊）Ｇがファンネル５５に案内された後、粗型５１のキャビティ内に投入される（ゴブイン）。ゴブＧは、下端がプランジャ５４の最先端部に支えられた状態で粗型５１のキャビティ内にとどまる。
【００３０】
（ｂ）セッツルブロー工程
ゴブイン工程の次に、セッツルブロー工程が実行される。この工程では、図３（ｂ）に示すように、ファンネル５５の上端にバッフル５６が配置される。そして、バッフル５６に形成された空気通路を介して、図示しないコンプレッサから圧縮空気が粗型５１内に吹き入れられること（セッツルブロー）により、粗型５１内のゴブＧが下方へ押し付けられて変形する。その押し付けにより、口部形成凹部５３とプランジャ５４との間に入り込んだゴブＧの下端部によって口部１７が概ね形成される。
【００３１】
（ｃ）カウンターブロー工程
セッツルブロー工程の次に、カウンターブロー工程が実行される。この工程では、図３（ｃ）に示すように、ファンネル５５が粗型５１の上端部から退避し、バッフル５６が粗型５１の上端部に配置される。この状態では、バッフル５６の下面によって粗型５１のキャビティ上部が閉塞されている。
【００３２】
一方、プランジャ５４が口型５２よりも下方へ一定距離退避することにより、プランジャ５４と口型５２との間に空気通路が形成される。この空気通路を介して図示しないコンプレッサから圧縮空気を粗型５１内に吹き入れること（カウンターブロー）により、粗型５１内のゴブＧが粗型５１及びバッフル５６の下面によって形成されたキャビティに沿い、かつ、下方に開口するビン形状の原型となるパリソンＰが形成される。
【００３３】
（ｄ）インバート工程
本工程により、粗型工程（一次工程）から仕上型工程（二次工程）に移行させる。インバート工程は、粗型工程によって形成されたパリソンＰを仕上型６１に投入する工程である。詳細には、図３（ａ）〜図３（ｃ）に示すように、カウンターブロー工程までに用いた口型５２を、粗型工程において、反転装置６２の口型ホルダ６３によって把持させておく。
【００３４】
粗型工程の終了後、バッフル５６を退避させるとともに粗型５１を型開きし、反転装置６２の水平軸である回転軸６４を１８０度回転させる。これにより、口型ホルダ６３及び口型５２とともにパリソンＰも１８０度反転し、図３（ｄ）に示すように、パリソンＰを仕上型６１のキャビティ内に投入（インバート）することができる。なお、仕上型６１のキャビティ形状は、仕上型６１の内周形状と、仕上型６１の下端に設置された底型６５の上面形状とによって規定される。
【００３５】
（ｅ）ファイナルブロー工程
インバート工程の終了後、口型５２を型開きし、口型ホルダ６３を口型５２とともに仕上型６１から退避させる。その後、図４（ｅ）に示すように、仕上型６１の上面にブローヘッド６６が装着される。ブローヘッド６６には上下方向に貫通する空気通路が形成されている。この空気通路を介して図示しないコンプレッサから圧縮空気を、仕上型６１のキャビティに収容されたパリソンＰ内に吹き入れる（ファイナルブロー）。これにより、パリソンＰが仕上型６１のキャビティ形状（姿面）に沿うまで膨張し、図４（ｆ）に示すように、口部１７を除く箇所の肉厚を概ね均一にした高温のガラスビン１１が形成される。
【００３６】
その後、仕上型６１を開き、例えばテイクアウトトング等の把持機構によってガラスビン１１の口部１７を持ち上げ、冷却その他の搬送工程へと移送させる。なお、一次工程においてパリソンＰを成形するに際して口型５２によって口部１７を概ね形成しておき、その後、二次工程において口部１７以外をファイナルブローによって形成するため、口型５２によって拘束されていた部分とファイナルブローによって均一の肉厚に形成される部分との間に、飲み口ライン１８が形成されることになる。
【００３７】
ここで、仕上型６１の内周面のうち、ガラスビン１１の環状凸部２１に対応する位置には、環状凸部２１を形成するために、凸面２２と同じ内周形状となる環状溝６７が形成されている。環状溝６７のうち上部を形成する斜め下方を向いた面が下方面である。環状溝６７の内周面では、ファイナルブローによって環状凸部２１が形成されることから、口部１７を除く他の部位とほぼ同じ肉厚かつ均一の肉厚に形成される。その結果、環状凸部２１は、設計通りの高精度な寸法になる。また、環状凸部２１はファイナルブローによって形成されるため、飲み口ライン１８より下方に位置する。
【００３８】
ガラスビン１１の仕上型工程が完了した後、ガラスビン１１の製造工場又は他の工場において、口部１７側から筒状パッキン３１を圧入してシールするシール工程と、ガラスビン１１に内容物（例えばジュース等の飲み物）を充填する充填工程と、内栓４１を装着して封止する封止工程とが実施される。なお、充填工程は、シール工程より前に行われてもいいし、後に行われてもよい。
【００３９】
＜本実施形態から得られる効果＞
以上説明したガラスビン１１及びその製造方法によれば、以下に示す効果が得られる。
【００４０】
首部１６のうち飲み口ライン１８より下方となる部分に、筒状パッキン３１を係合させる係合部として環状凸部２１を形成した。これにより、ガラスビン１１に製品誤差の少ない範囲で内栓４１を採用できる。また、環状凸部２１及び爪部３４がいずれも周方向全域に同一形状となる環状に形成されているため、筒状パッキン３１の装着に際して方向性がなくなる利点がある。
【００４１】
従来の係合部は粗型工程においてプランジャの形状を工夫することにより形成していたことから、係合部の寸法精度が低いという問題があった。この点、仕上型６１に環状溝６７を形成しておき、仕上型工程においてファイナルブローによって係合部である環状凸部２１を形成するようにしたことにより、肉厚が一定となる寸法精度の高い環状凸部２１を形成することができる。そのため、環状凸部２１や爪部３４が比較的小さいものであっても寸法誤差が小さくなり、両者間を確実にシールすることができる。また、仕上型６１の内周形状を変更するだけで、従来のガラスビン１１の成形工程と全く同じ工程で環状凸部２１を成形することができ、製造ラインの大きな変更を伴わない利点もある。
【００４２】
筒状パッキン３１の外周面には、透明性のあるガラスビン１１の外部から視認可能な案内表示３７を印刷等によって付与することができる。しかも、環状凸部２１と爪部３４とにより、首部１６と筒状パッキン３１との間がシールされているため、ガラスビン１１の内容物が案内表示３７に干渉することがない。さらに、ガラスビン１１との間でシールポイントを形成する爪部３４が筒状パッキン３１の下端部に設けられているため、案内表示３７のための領域を広くとることができる。したがって、従来のようにガラスビン１１の外周に行っていた各種表示の一部を、ガラスビン１１の内周側に付与することができる。ガラスビン１１の内周側において行われる表示に対してはアクセスが容易ではないことから、案内表示３７を改変される等の問題が発生しにくい利点もある。
【００４３】
＜ガラスビン１１、筒状パッキン３１、内栓４１の変形例＞
以下、上記ガラスビン１１、筒状パッキン３１、内栓４１の変形例を説明する。
【００４４】
（１）上記実施形態では、筒状パッキン３１と内栓４１とを別体とした例を示したが、これらを一体にしてもよい。例えば、図４（ａ）に示すように、筒状パッキン３１の本体筒部３２の上面を封止部７１によって封止して、パッキンとしても機能する内栓７２を構成してもよい。
【００４５】
（２）ガラスビン１１の首部１６において、筒状パッキン３１の爪部３４と係合する部分を、図４（ｂ）に示すように、環状凸部２１に代えて段差部７４としてもよい。段差部７４は下方ほど径が大きくなる傾斜がつけられており、首部１６は段差部７４の上方より段差部７４の下方が大径となっている。この段差部７４も仕上型工程（二次工程）において、仕上型６１の内周形状をこれらの形状に合わせることにより成形される。
【００４６】
（３）ガラスビン１１の首部１６において、筒状パッキン３１の爪部３４と係合する部分を、図４（ｃ）に示すように、環状凸部２１に代えて環状凹部７５としてもよい。環状凹部７５はガラスビン１１の外周からみて内周側へ凹んだ環状部分によって形成され、ガラスビン１１の内周側からみると、内周側へ突出した環状の凸面が形成されている。この環状凹部７５も仕上型工程（二次工程）において、仕上型６１の内周形状をこれらの形状に合わせることにより成形される。
【００４７】
なお、環状凹部７５を採用する場合、筒状パッキン３１の外周部において少なくとも環状凹部７５と対応する部分の外径を、環状凹部７５の最小内径（内周側への最大突出部分の内径）と同一かそれより小さくするとよい。これにより、筒状パッキン３１の圧入時の抵抗を減らすことができる。また、この場合、筒状パッキン３１の外径を小さくした部分の上端には下方に面を向けた段差面７６が形成される。上記実施形態では、フランジ部３３と爪部３４との間隔によって第２テーパ面３６のシール部分に予圧を付与していたが、この変形例では、段差面７６と爪部３４との間隔によって第２テーパ面３６のシール部分に予圧を付与することもできる。この場合、フランジ部３３は予圧を付与する機能が不要になる。
【００４８】
（４）図４（ｄ）に示すように、筒状パッキン３１として、内周面に内ネジ７３を形成したものを用いてもよい。この場合、内栓には外周に外ネジが形成されたものが用いられる。図４（ｅ）は、図４（ｂ）の変形例において内ネジ７３を形成した例を示している。図４（ｆ）は、図４（ｃ）の変形例において内ネジ７３を形成した例を示し、かつ、フランジ部３３に予圧を付与する機能が不要になった場合における、フランジ部３３を省略した例を示している。
【００４９】
（５）上記実施形態や上記変形例に示されるように、ガラスビン１１の筒状パッキン３１との係合部である環状凸部２１、段差部７４、環状凹部７５は、爪部３４が係合できるように、内周面に下方に向けた面（係合面）が形成されていればよい。したがって、係合面は斜め下方ではなく真下に向けたものであってもよい。
【００５０】
（６）ガラスビン１１の筒状パッキン３１との係合部である環状凸部２１、段差部７４、環状凹部７５は、飲み口ライン１８より下方となる首部１６のいずれかの高さ位置に形成されていればよい。首部１６のうち比較的下部に係合部が形成される場合、筒状パッキン３１の上下方向の長さが長くなるため、案内表示３７の表示領域が大きくなり、広告や内容物の表示など、多様な表示態様を選択することが可能となる。
【００５１】
（７）ガラスビン１１の内容物によっては、内栓４１に代えて、筒状パッキン３１の上面をフィルム等の薄型シールによって塞ぐだけあってもよい。この場合、筒状パッキン３１と薄型シールとにより内栓が構成されているといえる。また、内栓は口部１７の開口を完全に密封するものでなくてもよく、例えば、錠剤を所定量ずつ排出できるようにした貫通孔をもったような内栓も含む。
【００５２】
（８）ガラスビン１１のリサイクルのためには、筒状パッキン３１をユーザが工具を使うことなく手で容易に取り外すことができるようになっているとよい。例えば、図５（ａ）に示すように、筒状パッキン３１のフランジ部３３から外周側へ突出する摘み部８１を一体形成しておく。このようにすれば、内容物がなくなってから、摘み部８１の先端側を手でもって摘み部８１の基端側へ引っ張ることにより、筒状パッキン３１を変形させることができる。そして、筒状パッキン３１をある程度変形させた状態で摘み部８１を上方へ持ち上げることにより、筒状パッキン３１を引き抜くことができる。なお、筒状パッキン３１は爪部３４においてガラスビン１１の内周とシールされているため、筒状パッキン３１のうち爪部３４より上方位置において、肉厚を薄くした部分や破断部を上下方向に形成して、摘み部８１を引っ張った場合に筒状パッキン３１の変形が促されるようにしてもよい。
【００５３】
（９）筒状パッキン３１に内ネジ７３を形成したタイプでは、ガラスビン１１の内容物がオイル等の潤滑性のあるものである場合、ガラスビン１１に対して筒状パッキン３１が回転してしまい、内栓４１と筒状パッキン３１とが供回りして内栓４１を着脱しにくくなる可能性がある。したがって、内ネジ７３を形成する場合、ガラスビン１１に対して筒状パッキン３１が回転しないようにすることもできる。例えば、首部１６の横断面（水平方向断面）形状を、四角形等の多角形や楕円形にするなどして、非真円形状にすることが考えられる。この形状に合わせて、筒状パッキン３１の本体筒部３２を横断面形状が非真円形状となるように形成すれば、ガラスビン１１に対して筒状パッキン３１が回転しなくなる。
【００５４】
（１０）上記変形例（９）では、ガラスビン１１の首部１６の形状を変更して内栓４１と筒状パッキン３１との供回りを防止する例を示したが、首部１６の形状に依存することなく供回りを防止することもできる。例えば、図５（ｂ）に示すように、ガラスビン１１の口部１７上面のうち周方向の一部に凸部８２を設け、筒状パッキン３１のフランジ部３３下面には凸部８２に嵌まり込む凹部８３を設ける。このようなキー溝構造によって、ガラスビン１１に対する筒状パッキン３１の回り止めを図ることができる。また、図５（ｃ）に示すように、口部１７上面のうち周方向の一部に凹部８４を設け、フランジ部３３下面に凹部８４に嵌合する凸部８５を設けてもよい。
【符号の説明】
【００５５】
１１…ガラスビン（ガラス容器）、１２…胴部、１３…裾部、１４…底部、１５…肩部、１６…首部、１７…口部、１８…飲み口ライン、２１…環状凸部、２２…凸面、２３…凹面（係合面）、３１…筒状パッキン、３２…本体筒部、３３…フランジ部、３４…爪部、３５…第１テーパ面、３６…第２テーパ面、３７…案内表示、４１…内栓、４２…封止部、４３…操作部、５１…粗型、５２…口型、５３…口部形成凹部、５４…プランジャ、５５…ファンネル、５６…バッフル、６１…仕上型、６２…反転装置、６３…口型ホルダ、６４…回転軸、６５…底型、６６…ブローヘッド、６７…環状溝、７１…封止部、７２…内栓、７３…内ネジ、７４…段差部、７５…環状凹部、７６…段差面、８１…摘み部、８２…凸部、８３…凹部、８４…凹部、８５…凸部、Ｇ…ゴブ、Ｐ…パリソン。
【図１】
2020090399.tif 000003
【図２】
2020090399.tif 000004
【図３】
2020090399.tif 000005
【図４】
2020090399.tif 000006
【図５】
2020090399.tif 000007